(57)【要約】      （修正有）【課題】  屋外に設置する燃料油タンクにおいて、送油口に関係する危険に対処でき、既に設置してある燃料油タンクにも取り付けられる燃料油タンクの防護カバーを提供する。【解決手段】  前側に位置する左右の脚２の間に前防護カバー11を設け、後側に位置する左右の脚２の間に後防護カバーを設け、各々左右に位置する前後の脚２の間に一対の側防護カバーを設け、前防護カバー11と後防護カバー及び側防護カバーは各々の脚２に取り付けた脚取付金具14，15に固定し、タンク１下面の送油口とそれに連なる送油管７を前防護カバー11と後防護カバー及び側防護カバーで形成される大きな空間内に収納した。【選択図】  図４
2006076604.tif 000002
【特許請求の範囲】
【請求項１】
燃料油を貯蔵するタンクを支持し四隅に位置する４本の脚を設け、タンク下面に送油口を設けた燃料油タンクにおいて、前側に位置する左右の脚の間に前防護カバーを設け、後側に位置する左右の脚の間に後防護カバーを設け、各々左右に位置する前後の脚の間に一対の側防護カバーを設け、前防護カバーと後防護カバー及び側防護カバーの上端はタンク下面に接近させ、前防護カバーと後防護カバー及び側防護カバーの下端は地面に接近させ、前防護カバーと後防護カバー及び側防護カバーは各々の脚に取り付けた脚取付金具に固定し、タンク下面の送油口とそれに連なる送油管を前防護カバーと後防護カバー及び側防護カバーで形成される大きな空間内に収納し、前防護カバーの送油口に対応する位置に施錠可能な開閉扉を設けた燃料油タンクの防護カバー。
【請求項２】
各々左右に位置する前後の脚の間に水平な一対の横桟を設け、側防護カバーは各々左右に位置する横桟の内側に位置させた請求項１記載の燃料油タンクの防護カバー。
【発明の詳細な説明】
【技術分野】
【０００１】
本発明は、寒冷地で使用される燃料油ストーブや暖房・給湯用ボイラー等の燃料油（主に白灯油）タンクで、屋外に設置する燃料油タンクの防護カバーに関する。
【背景技術】
【０００２】
このような燃料油タンクの防護カバーは、衝突による破損防止や近くの高温物の輻射熱を遮断する目的で、実用新案登録第２５０１１８９号公報に示されるように、縦長の取付板をタンクとともに脚に挟持し、脚より外側方に突出する取付板の外側にタンクを囲む一対のカバーをボルトで止着したものが知られている。
【０００３】
屋外に設置する燃料油タンクでは、タンク下面に燃料フィルターや水抜き栓及び小出し口を供えた送油口を設け、送油口に連なる送油管を地面の下を通して屋内の燃料油ストーブや暖房用ボイラーに連結している。
【０００４】
このような屋外に設置する燃料油タンクでは、夜間に小出し口を開けて油を抜き取る事件や、送油管を切断して油を流出させる、流出した油に火を着けるという危険な事件が発生している。
【０００５】
上記のようなタンクのみを囲むカバーでは、送油口に関係する危険には対処できない。
【０００６】
そこで、燃料油タンク全体を覆うようにして、送油口に関係する危険にも対処したものも知られている。
【０００７】
例えば、実用新案登録第３１０３２１９号公報に示されるように、タンクからの油漏れを受容する防油槽と、その上部を閉鎖しタンク全体を覆うカバー部で構成し、カバー部の給油口及び送油口に対応する部位に開閉可能な作業窓を設けたものである。
【０００８】
また、タンク下面の送油口とそれに連なる送油管のみを覆うようにして、送油口に関係する危険にのみ対処したものも知られている。
【０００９】
例えば、意匠登録第１２０７２０６号公報に示されるように、タンク下面の送油口と地面の間に伸縮自在な筒状のカバーを設け、その比較的小さな筒状のカバー内に送油口とそれに連なる送油管を収納し、カバー上部の送油口に対応する位置に施錠可能な開閉扉を設けたものである。
【特許文献１】実用新案登録第２５０１１８９号公報
【特許文献２】実用新案登録第３１０３２１９号公報
【特許文献３】意匠登録第１２０７２０６号公報
【発明の開示】
【発明が解決しようとする課題】
【００１０】
上記の燃料油タンク全体を覆うようにしたものでは、あらゆる危険から防護できるが、一般家庭に設置される燃料油タンクのようにそれ程の防護が必要でなく、送油口に関係する危険にのみ対処できれば良い場合にはあまりに高価となり、現実的に設置することができない。
【００１１】
また、送油口と地面の間に筒状のカバーを設けたものでは、新規に燃料油タンクを設置する場合には、その比較的小さな筒状のカバー内にそれに見合うように送油管を連結することは可能である。
【００１２】
しかし、既に設置してある燃料油タンクの場合、筒状のカバー内に送油口とそれに連なる送油管を収納しなければならず、送油口とそれに連なる送油管の連結を外さないと取り付けられない。だが送油管の連結を外すと、送油管の中に空気が入り送油されなくなる事故が起き、復旧に多大な労力を要するため、既に設置してある燃料油タンクには取り付けられない。
【００１３】
さらに、送油口に連なる送油管は、送油口が取り付けられた向きにより連結する方向が不定であり、送油口に連結が容易なように燃料油タンクが地震で揺れても連結部が損傷を受けないように螺旋状に大きく巻いた柔軟部が設けられ、燃料油ストーブや暖房用ボイラーが設置されている方向に向かって地面に埋設されている。そのため、比較的小さな筒状のカバー内に送油管を納めることは不可能である。
【００１４】
そこで本発明は、送油口に関係する危険に対処でき、燃料油タンク全体を覆うことなく安価に提供でき、既に設置してある燃料油タンクにも取り付けられる燃料油タンクの防護カバーを提供することを目的とする。
【課題を解決するための手段】
【００１５】
請求項１の発明の燃料油タンクの防護カバーは、燃料油を貯蔵するタンク１を支持し四隅に位置する４本の脚２を設け、タンク１下面に送油口６を設けた燃料油タンクにおいて、前側に位置する左右の脚２の間に前防護カバー11を設け、後側に位置する左右の脚２の間に後防護カバー12を設け、各々左右に位置する前後の脚２の間に一対の側防護カバー13を設け、前防護カバー11と後防護カバー12及び側防護カバー13の上端はタンク１下面に接近させ、前防護カバー11と後防護カバー12及び側防護カバー13の下端は地面Ｅに接近させ、前防護カバー11と後防護カバー12及び側防護カバー13は各々の脚２に取り付けた脚取付金具14，15に固定し、タンク１下面の送油口６とそれに連なる送油管７を前防護カバー11と後防護カバー12及び側防護カバー13で形成される大きな空間内に収納し、前防護カバー11の送油口６に対応する位置に施錠可能な開閉扉17を設けたものである。
【００１６】
請求項２の発明の燃料油タンクの防護カバーは、各々左右に位置する前後の脚２の間に水平な一対の横桟９を設け、側防護カバー13は各々左右に位置する横桟９の内側に位置させたものである。
【発明の効果】
【００１７】
請求項１の発明によれば、前側に位置する左右の脚の間に前防護カバーを設け、後側に位置する左右の脚の間に後防護カバーを設け、各々左右に位置する前後の脚の間に一対の側防護カバーを設け、前防護カバーと後防護カバー及び側防護カバーの上端はタンク下面に接近させ、前防護カバーと後防護カバー及び側防護カバーの下端は地面に接近させ、タンク下面の送油口とそれに連なる送油管を前防護カバーと後防護カバー及び側防護カバーで形成される大きな空間内に収納し、前防護カバーの送油口に対応する位置に施錠可能な開閉扉を設け、送油口とそれに連なる送油管に悪意の者が手を出すことはできないから、送油口に関係する危険に対処できる。
【００１８】
また、前側に位置する左右の脚の間に前防護カバーを設け、後側に位置する左右の脚の間に後防護カバーを設け、各々左右に位置する前後の脚の間に一対の側防護カバーを設け、前防護カバーと後防護カバー及び側防護カバーは各々の脚に取り付けた脚取付金具に固定し、前防護カバーと後防護カバー及び側防護カバーを脚取付金具を介して既存の脚に取り付けるようにしたから、燃料油タンク全体を覆うことなく安価に提供できる。
【００１９】
また、前防護カバーと後防護カバー及び側防護カバーは各々の脚に取り付けた脚取付金具に固定し、タンク下面の送油口とそれに連なる送油管を前防護カバーと後防護カバー及び側防護カバーで形成される大きな空間内に収納し、送油口とそれに連なる送油管の連結を外すことなく取り付けられ、送油管が送油口に取り付けられた向きや、送油管が螺旋状に大きく巻いた柔軟部や、送油管が地面に埋設されている方向に左右されることなく取り付けられ、既に設置してある燃料油タンクにも取り付けられる。
【００２０】
請求項２の発明によれば、各々左右に位置する前後の脚の間に水平な一対の横桟を設け、側防護カバーは各々左右に位置する横桟の内側に位置させ、横桟が側防護カバーの手前に位置するから、給油作業のときなど、作業者が横桟に足を掛けて登り、高い位置の給油口に近付いて蓋の開閉などができる。
【発明を実施するための最良の形態】
【００２１】
送油口に関係する危険に対処できるようにするという目的を、前側に位置する左右の脚２の間に前防護カバー11を設け、後側に位置する左右の脚２の間に後防護カバー12を設け、各々左右に位置する前後の脚２の間に一対の側防護カバー13を設け、前防護カバー11と後防護カバー12及び側防護カバー13の上端はタンク１下面に接近させ、前防護カバー11と後防護カバー12及び側防護カバー13の下端は地面Ｅに接近させ、タンク１下面の送油口６とそれに連なる送油管７を前防護カバー11と後防護カバー12及び側防護カバー13で形成される大きな空間内に収納し、前防護カバー11の送油口６に対応する位置に施錠可能な開閉扉17を設けて実現した。
【００２２】
また、燃料油タンク全体を覆うことなく安価に提供できるようにするという目的を、前側に位置する左右の脚２の間に前防護カバー11を設け、後側に位置する左右の脚２の間に後防護カバー12を設け、各々左右に位置する前後の脚２の間に一対の側防護カバー13を設け、前防護カバー11と後防護カバー12及び側防護カバー13は各々の脚２に取り付けた脚取付金具14，15に固定して実現した。
【００２３】
また、既に設置してある燃料油タンクにも取り付けられるようにするという目的を、前防護カバー11と後防護カバー12及び側防護カバー13は各々の脚２に取り付けた脚取付金具14，15に固定し、タンク１下面の送油口６とそれに連なる送油管７を前防護カバー11と後防護カバー12及び側防護カバー13で形成される大きな空間内に収納して実現した。
【実施例１】
【００２４】
図１は、本発明の一実施例に係る燃料油タンクの防護カバー10であり、図３はその防護カバー10を取り付ける前の燃料油タンクである。
【００２５】
この燃料油タンクは、燃料油ストーブや暖房・給湯用ボイラー等の燃料油を貯蔵するタンク１であり、約５００リットルの白灯油を貯蔵する家庭用の屋外に設置されるもので、燃料油を貯蔵する略立方体のタンク１と、タンク１を支持し四隅に位置する４本の脚２と、タンク１の上面に設けた燃料油の量を計測するゲージ３と、同じく上面に設けた密閉できる給油口４と、同じく上面に設けたエアー抜き５と、タンク１の下面に設けた送油口６とからなる。
【００２６】
タンク１は、２枚の四角い皿状の鋼板からなり、その凸部を外側として外周の耳部1aで溶接して合わせ、その耳部1aを垂直方向として設置する。タンク１の左右の耳部1aから下方に脚２を設け、２本の脚２で耳部1aを挟みボルトで止着し固定する。各々の脚２はその下端を束石８により設置される地面Ｅに固定され、タンク１が地震などで転倒しないようにする。
【００２７】
タンク１の上面の、ゲージ３はタンク１内の油量を計測して表示し、給油口４には開閉自在な蓋が設けられ、タンクローリーから給油口４を通じてタンク１内に給油され、エアー抜き５はタンク１内外を連通し燃料油の消費に伴い空気をタンク１内に導入する。
【００２８】
送油口６には、油中のゴミを濾過するフィルター、タンク１内底部に溜まった水を抜くための水抜き栓、カートリッジタンクなどへ給油するための小出し口、タンク１からフィルターへの送油を停止するための開閉バルブ、送油管７を接続する送油管接続口が設けられる。
【００２９】
送油口６はその上部のネジでタンク１に取り付け、送油口６全体を回しながら油が漏れない程度に緊密になるまで回して固定する。また、下部にフィルターが位置する構造のため、必然的に送油管接続口は送油口６を取り付けるために回す周方向となり、送油管接続口の方向が不定となる。
【００３０】
送油口６のフィルターが汚れた場合、開閉バルブを閉じた後、簡単に覆いを外して取り出して新品と交換できるようになっている。しかし、悪意の者が開閉バルブを閉じないままフィルターの覆いを外すと、タンク１内の油が流出する。
【００３１】
タンク１から油に混じって水がボイラー等の燃焼機器に送られ、燃焼機器が破損するのを防止するため、タンク１内底部に水を溜める一定の水溜め容積を備えている。しかし、その水溜め容積を超えて水が溜まると水が燃焼機器に送られてしまう。送油口６の水抜き栓は、定期的に水溜め部の水を外部に排水して水が燃焼機器に送られるのを防ぐためのものであり、水抜き栓を開け水に続いて油が出てきたら閉じるものである。しかし、悪意の者が水抜き栓を開けたままにするとタンク１内の油が流出する。
【００３２】
送油口６の小出し口には、カートリッジタンクなどへ給油できるよう小出しバルブと短いホースが設けられ、小出しバルブを開閉して給油するようになっている。しかし、悪意の者が小出しバルブを開けたままにするとタンク１内の油が流出する。
【００３３】
送油口６の送油管接続口と燃料油ストーブ等とは送油管７で連結され、燃料油はその自重により送油される。送油管７は、その配管が容易なように比較的軟らかく細い銅管が使用され、その送油口６の近くは送油口６に連結が容易なように、また燃料油タンクが地震で揺れても連結部が損傷を受けないように、螺旋状に大きく何重かに巻いた柔軟部7aが設けられ、柔軟部7aの直径は約２５cmである。送油管７は比較的軟らかい銅管で直径が８mmの細いものが使用されているため、悪意の者が送油管７を切断しようとすれば容易に切断でき、送油管７が切断されるとタンク１内の油が流出する。
【００３４】
防護カバー10は、正面と背面から見ると垂直で平行な２本の脚２の間と、側面から見ると倒立「Ｙ」の字状の三角形を成す２本の脚２の間に設ける。
【００３５】
前側に位置する左右の脚２の間でその外側に、脚２の傾斜に沿って略矩形の薄い板である前防護カバー11を設ける。前防護カバー11は、脚２に取り付けた下側の脚取付金具14と上側の脚取付金具15とにボルトで止着し固定する。前防護カバー11には、空気が流通するよう無数の細孔11aを設ける。
【００３６】
前防護カバー11の送油口６に対応する位置に、前防護カバー11の傾斜から垂直方向に突出した膨出部16を設け、膨出部16の上部に施錠可能な開閉扉17を設ける。
【００３７】
後側に位置する左右の脚２の間でその外側に、脚２の傾斜に沿って略矩形の薄い板である後防護カバー12を設ける。後防護カバー12は、脚２に取り付けた下側の脚取付金具14と上側の脚取付金具15とにボルトで止着し固定する。
【００３８】
各々左右に位置する前後の脚２の間でその内側に、脚２の下部側面形状である三角形にならった形状の薄い板である一対の側防護カバー13を設ける。側防護カバー13は、脚２に取り付けた下側の脚取付金具14と上側の脚取付金具15とにボルトで止着し固定する。側防護カバー13には、空気が流通するよう多数の細孔13aを設ける。
【００３９】
防護カバー10としての、前防護カバー11と後防護カバー12及び側防護カバー13を各々の脚２に取り付ける、下側の脚取付金具14と上側の脚取付金具15は脚２に巻きつくような形状であり、上側の脚取付金具15は左右に位置する前後の脚２の間に渡り、防護カバー10を脚取付金具14，15に固定することにより、脚取付金具14，15が脚２に固定される。
【００４０】
防護カバー10としての、前防護カバー11と後防護カバー12及び側防護カバー13の上端はタンク１下面に接近させる。タンク１下面に接近させる程度は、送油口６と送油管７に手が届かなければ良いので、手が入らない程度の隙間とする。
【００４１】
防護カバー10としての、前防護カバー11と後防護カバー12及び側防護カバー13の下端は地面Ｅに接近させる。地面Ｅに接近させる程度は、送油管７に手が届かなければ良いので、腕が入らない程度の隙間とする。
【００４２】
以上のように構成したので、既に設置してある燃料油タンクでも、脚取付金具14，15を脚２に取り付け、脚取付金具14，15に前防護カバー11と後防護カバー12及び側防護カバー13を固定することができ、タンク１下面の送油口６とそれに連なる送油管７を前防護カバー11と後防護カバー12及び側防護カバー13で形成される大きな空間内に収納する。
【実施例２】
【００４３】
図６に示すのは、脚２の形状のみが若干異なるものを示しており、以下に異なる部分のみを説明する。
【００４４】
タンク１の左右の耳部1aから下方に脚２を設け、２本の脚２を合わせてから耳部1aに取り付け、ボルトで止着し固定する。
【００４５】
各々左右に位置する前後の脚２の間に水平な一対の横桟９を設け、前後の脚２の間でその内側に側防護カバー13を設けているから、側防護カバー13は各々左右に位置する横桟９の内側に位置することになる。
【００４６】
以上の実施例では、下側の脚取付金具14は脚２ごとに独立し、上側の脚取付金具15は左右に位置する前後の脚２の間に渡る一体のものとした例を示したが、脚取付金具14，15は脚２に取り付けるものであれば良く、どのような形状のものでも良い。
【図面の簡単な説明】
【００４７】
【図１】燃料油タンクの防護カバーの一実施例を示す正面図である。
【図２】その側面図である
【図３】図１の防護カバーを取り除いた図である。
【図４】図１の要部を示す部分拡大図である。
【図５】図２の要部を示す部分拡大図である。
【図６】別な実施例を示す側面図である。
【符号の説明】
【００４８】
１  タンク
２  脚
６  送油口
７  送油管
９  横桟
11  前防護カバー
12  後防護カバー
13  側防護カバー
14  脚取付金具
15  脚取付金具
17  開閉扉
Ｅ  地面
【図１】
2006076604.tif 000003
【図２】
2006076604.tif 000004
【図３】
2006076604.tif 000005
【図４】
2006076604.tif 000006
【図５】
2006076604.tif 000007
【図６】
2006076604.tif 000008